(57)【要約】ＳＦＰアプリケーションで使用可能な、取り外し／取り付け機構を備える光モジュールを提供する。このような光モジュールは、例えば光トランシーバである。また、当該取り外し／取り付け機構によって、コンピュータボードアセンブリに含まれる筐体に対して行われる光モジュールの挿入／抜き取り動作が改善されるとしてもよい。取り付け／取り外しを行う取り付けアセンブリは、スロット状接合部を持つ取り付け部材を備えるとしてもよい。この接合部は、ほぼ固定された旋回部に接しており、旋回部を中心に回転する。この回転は、カムフォロワーと係合するカムを備える回転可能なアクチュエータによって実現されるとしてもよい。取り付けアセンブリを付勢して取り付け位置におさめ、接合部と旋回部を互いに接触させるには付勢装置を用いる。付勢装置について、多くの例を挙げている。
2007522530.tif 000002
【特許請求の範囲】
【請求項１】
基部と当該基部内に設けられたラッチ用開口部を持つ筐体に光モジュールを取り外し可能に取り付ける装置であって、
旋回部および軸に沿って並べられた少なくとも１つの受け入れスロットを持つハウジング、
前記軸を中心として動くように前記少なくとも１つの受け入れスロット内に配設されるコネクタを持つ回転可能なアクチュエータであって、前記コネクタは第１位置と第２位置の間で回転可能なカムを持つアクチュエータ、
取り付け位置と取り外し位置の間で動くことができる取り付け機構であって、前記旋回部を中心とした回転運動を行うように前記旋回部に接続するためのスロット状接合部、前記スロット状接合部の回転運動に応じて動くことができるラッチ、ならびにカムフォロワーを含む取り付け機構、
前記取り付け位置に収まるように前記取り付け機構を付勢する付勢装置
を備える装置。
【請求項２】
前記付勢装置は前記スロット状接合部に係合し、前記スロット状接合部を前記旋回部に対して付勢する
請求項１に記載の装置。
【請求項３】
前記付勢装置は前記カムフォロワーと係合し、前記取り外し位置において前記カムフォロワーを前記カムに対して付勢する
請求項２に記載の装置。
【請求項４】
前記付勢装置はリーフスプリングである
請求項１に記載の装置。
【請求項５】
付勢装置は第１支持部材および第２支持部材を有する
請求項１に記載の装置。
【請求項６】
前記第１支持部材が前記スロット状接合部を前記旋回部に対して付勢し、前記取り外し位置において前記第２支持部材が前記カムフォロワーを前記カムに対して付勢する
請求項５に記載の装置。
【請求項７】
前記第１支持部材および前記第２支持部材は互いに相対的に動くことが可能である
請求項５に記載の装置。
【請求項８】
前記第１支持部材および前記第２支持部材はカンチレバーアーム上にあり、少なくとも部分的に互いに分離されている
請求項７に記載の装置。
【請求項９】
前記第１支持部材および前記第２支持部材は前記ハウジングに別々に実装可能である
請求項５に記載の装置。
【請求項１０】
前記カムフォロワーは弾力性を有する部材で、前記第２位置にある前記カムは前記カムフォロワーを屈曲する
請求項１に記載の装置。
【請求項１１】
前記カムフォロワーを屈曲させることにより、前記ラッチは回転して前記ハウジング内に引き出された状態となる
請求項１０に記載の装置。
【請求項１２】
前記付勢装置は、前記ハウジングに実装可能な、対向するフランジを持つ
請求項１１に記載の装置。
【請求項１３】
前記回転可能なアクチュエータはプラスチックからなり、金型成形または押し出し成形によって形成される
請求項１に記載の装置。
【請求項１４】
前記付勢装置は、第１スプリング部材、ならびに前記カムフォロワーと前記第１スプリング部材の間に配設された第２スプリング部材を有し、前記第２スプリング部材は前記カムフォロワーと係合することによって、前記スロット状接合部を付勢して、前記スロット状接合部と前記旋回部を係合させる
請求項１に記載の装置。
【請求項１５】
前記第１スプリング部材と前記第２スプリング部材は別々に前記ハウジングに実装可能であって、互いに相対的に動くことが可能である
請求項１４に記載の装置。
【請求項１６】
コンピュータボードアセンブリであって、
電子コンピュータボード、
前記電子コンピュータボードに実装された筐体であって、基部と当該基部内に設けられたラッチ収納部を持つ筐体、
前記筐体に対して選択的に取り付け可能な光モジュール
を備え、
前記光モジュールは
旋回部、
軸に沿って並べられた少なくとも１つの受け入れスロット、
前記軸を中心として動くように前記少なくとも１つの受け入れスロット内に配設されるコネクタを持つ回転可能なアクチュエータ、
前記コネクタの動きに応じて第１位置と第２位置の間で回転可能なカム、
取り付け位置と取り外し位置の間で動くことができる取り付け機構であって、前記旋回部を中心とした回転運動を行うように前記旋回部と接続するためのスロット状接合部、前記スロット状接合部の運きに応じて動くことができるラッチ、ならびにカムフォロワーを含む取り付け機構、
前記取り付け位置に収まるように前記取り付け機構を付勢する付勢装置
を含むコンピュータボードアセンブリ。
【請求項１７】
前記光モジュールの一端に配設された少なくとも１つのＳＦＦ（Ｓｍａｌｌ  Ｆｏｒｍ  Ｆａｃｔｏｒ）レセプタクル
をさらに含む請求項１６に記載のコンピュータボードアセンブリ。
【請求項１８】
前記光モジュールは光トランシーバである
請求項１６に記載のコンピュータボードアセンブリ。
【請求項１９】
前記付勢装置は、前記接合部を前記旋回部に対して付勢するために配設されている
請求項１６に記載のコンピュータボードアセンブリ。
【請求項２０】
前記付勢装置は、前記取り外し位置において前記カムフォロワーを前記カムに対して付勢するために配設されている
請求項１６に記載のコンピュータボードアセンブリ。
【請求項２１】
付勢装置は第１支持部材および第２支持部材を有する
請求項１６に記載のコンピュータボードアセンブリ。
【請求項２２】
前記第１支持部材は前記スロット状接合部を前記旋回部に対して付勢し、前記第２支持部材は、前記第１位置または前記第２位置の少なくともどちらかにおいて、前記カムフォロワーを前記カムに対して付勢する
請求項２１に記載のコンピュータボードアセンブリ。
【請求項２３】
前記第１支持部材および前記第２支持部材は互いに相対的に動くことが可能である
請求項２１に記載のコンピュータボードアセンブリ。
【請求項２４】
前記第１支持部材および前記第２支持部材は、前記光モジュールのハウジングに別々に実装可能である
請求項２１に記載のコンピュータボードアセンブリ。
【請求項２５】
ラッチ収納部を持つ筐体に対して光モジュールの取り付け／取り外しを選択的に行う方法であって、
取り付け装置のスロット状接合部をハウジングの管状旋回部に係合させることであって、前記スロット状接合部は、前記ラッチ収納部に収納され得るラッチと接続されている、
前記旋回部の軸を中心にして前記スロット状接合部を回転させるために、前記旋回部と接するように前記スロット状接合部を付勢すること、
アクチュエータを手動で第１位置から第２位置に動かすこと
を含み、
前記取り付け装置は、前記アクチュエータが前記第１位置にある時には取り付け位置にあり、前記アクチュエータが前記第２位置にある時には取り外し位置にある
方法。
【請求項２６】
前記アクチュエータを手動で動かして、カムを第１位置から第２位置へと回転させること、
前記カムに応じた動きをするカムフォロワーを設けること
を含む請求項２５に記載の方法。
【請求項２７】
前記スロット状接合部を付勢して前記旋回部と接触させる第１支持部材と、前記カムフォロワーを付勢して前記カムと係合させる第２支持部材を持つ付勢装置を、前記ハウジングに実装すること
を含む請求項２６に記載の方法。
【請求項２８】
少なくとも前記第２支持部材が、前記第１支持部材に対して相対的に動くことが可能である
請求項２７に記載の方法。
【請求項２９】
前記第１支持部材および前記第２支持部材は、前記ハウジングに別々に実装可能であって、互いに相対的に動くことが可能である
請求項２７に記載の方法。
【発明の詳細な説明】
【技術分野】
【０００１】
本発明は光モジュールに関する。本発明は特に、筐体またはハウジング内に取り外し可能な状態で実装することができる光モジュールに関する。本出願は、米国仮出願第６０／５４９，８６１号（出願日：２００４年３月２日、名称：「取り外し機構を備える光モジュール」）に基づき優先権を主張する。当該出願の内容はすべて、参照により本願に組み込まれる。本出願はまた、米国仮出願第６０／５５０，５５４号（出願日：２００４年３月３日、名称：「取り外し機構を備える光モジュール」）に基づき優先権を主張する。当該出願の内容はすべて、参照により本願に組み込まれる。
【背景技術】
【０００２】
情報技術（ＩＴ）の進歩に光ネットワークの普及が果たしてきた役割は大きい。ローカルエリアネットワーク、ワイドエリアネットワークやメトロエリアネットワークおよびケーブルテレビネットワークなどの光ネットワークによって、消費者が享受するサービスやアクセスできる情報が増加した。光ネットワークでは、ユーザの数が多い場合や高画質の画像音声データのようにデータ量が多い場合に必要な高帯域幅を利用することができる。
【０００３】
このような光ネットワークは通常、光ファイバをバックボーンに使用し、光中継器、光増幅器および光トランシーバが光ファイバを介して接続され、光信号の送受信を行う。例えば、スイッチやルータは、トランシーバを利用して、イーサネットネットワークやそれよりも広範囲におよぶインターネットアクセスプロバイダ（ＩＳＰ）ネットワークを始めとするさまざまなネットワーク環境でのデータ配信およびデータ収集を制御する。ホストバスアダプタ、ＲＡＩＤ（ｒｅｄｕｎｄａｎｔ  ａｒｒａｙ  ｏｆ  ｉｎｄｅｐｅｎｄｅｎｔ  ｄｉｓｋｓ）モジュール、ファイバチャネル装置などの技術分野では、コンピュータ環境において光ネットワークを用いて記憶システムとプロセッサを接続し、コンピュータシステム間で帯域幅が広く相互接続性が高い通信を行う。
【０００４】
ネットワークの種類が多様化し動作が複雑化しているために、必要な光構成要素の数も多くなっている。また、ネットワーク構築に当たっては、さまざまなベンダーから調達した部品を用いて複雑なシステムを構築しなければならない。ここにおいて、競合製品があるのは好ましいことであるが、その一方で、デバイスの構成が画一的でなくなるという問題を生じる。ネットワーク構築に必要な光モジュールを選ぶ時には、寸法によってはネットワークで使用しているデバイスの実装筐体に合わないこともあるので、注意が必要である。
【０００５】
このような問題に対処するために、光トランシーバの標準規格を定めているメーカーも幾つかある。例えば、ＳＦＰトランシーバの場合、ＳＦＰ／ＭＳＡ（Ｓｍａｌｌ  Ｆｏｒｍ  Ｆａｃｔｏｒ  Ｐｌｕｇｇａｂｌｅ  Ｍｕｌｔｉ−Ｓｏｕｒｃｅ  Ａｇｒｅｅｍｅｎｔ）規格に対応した設計とするメーカーもある。この規格は、非同期転送モード（ＡＴＭ）、ＦＤＤＩ（Ｆｉｂｅｒ  ｄｉｓｔｒｉｂｕｔｅｄ  ｄａｔａ  ｉｎｔｅｒｆａｃｅ）、ファイバチャネル、ファストイーサネットやギガビットイーサネット、ＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）などに基づいた光システムで利用するとしてもよい。ＭＳＡではガイドランを定めて、パッケージサイズ、コネクタシステムの設計、ホストボードのレイアウト、電気的インターフェースなどを共通化している。
【０００６】
しかしＳＦＰ／ＭＳＡという規格があっても、ネットワークデバイスがベンダー間で完全に共通化されているわけではない。このため、トランシーバメーカー側の、自社の製品がネットワークデバイスに合わないのではないかという懸念がなくなったわけではない。光モジュールは、長寿命を保証するために適切に係合することが肝要であるし、ネットワーク管理者や設計者が、うまく係合しなかった光モジュールを次のデバイスで利用するとは思えないので、モジュールがうまく取り付けられない場合、メーカーの評判が落ちてしまう恐れもある。これまでの筐体は、取り付けの許容範囲を広げるべくさまざまな構造が考案されてきたが、挿抜が簡単な光モジュールが望まれているので、光トランシーバに使用するには問題がある。
【０００７】
光デバイス用の取り付け機構が幾つか提案されているが、密閉度が低く、時間が経つと性能が落ちる、あるいは完全に機能しなくなるという問題があった。例えば、可動部分が十分に係合しなかったり、構成材料の質が悪い、固定するための構造が不適切などの理由から通常の動作中に生じる力で可動部分が破損してしまう可能性があった。
【図面の簡単な説明】
【０００８】
【図１】図１は、ホストボード、光モジュールおよび筐体を含む、組み立て前のコンピュータボードアセンブリの一例を示す。
【０００９】
【図２】図２は、取り付け機構、アクチュエータおよび付勢装置を含む取り付けアセンブリの一例を示す分解図である。
【００１０】
【図３】図３は、図２に示す取り付け機構の一例を示す拡大図である。
【００１１】
【図４】図４は、図２に示す取り付けアセンブリのハウジングの一例を示す拡大図である。
【００１２】
【図５】図５は、図２に示す付勢装置の一例を示す拡大図である。
【００１３】
【図６Ａ】図６Ａは、図２に示す取り付けアセンブリの取り付け位置の一例を示す部分側面図で、幾つかの特徴部分を破線で示す。
【００１４】
【図６Ｂ】図６Ｂは図６Ａと類似しているが、取り付けアセンブリの取り外し位置を示す。
【００１５】
【図７】図７は、別の実施例に係る取り付けアセンブリを示す分解図である。
【００１６】
【図８】図８は、図７に示す取り付けアセンブリに含まれる付勢装置の一例を示す拡大図である。
【００１７】
【図９】図９は、図７に示す取り付けアセンブリに含まれる別の付勢装置の一例を示す拡大図である。
【００１８】
【図１０】図１０は、実施例に係る取り付けアセンブリのハウジングを示す。
【００１９】
【図１１Ａ】図１１Ａは、図７に示す取り付けアセンブリの取り付け位置の一例を示す部分側面図で、幾つかの特徴部分を破線で示す。
【００２０】
【図１１Ｂ】図１１Ｂは図１１Ａと類似しているが、取り付けアセンブリの取り外し位置を示す。
【００２１】
【図１２】図１２は、別の実施例に係る、互いに相対的に動くことが可能な２つの部材を備える付勢装置を示す。
【００２２】
【図１３】図１３は、別の実施例に係る付勢装置を示す。
【００２３】
【図１４Ａ】図１４Ａは、図１２または図１３に示す付勢装置を備える取り付けアセンブリの一例を示す部分側面図で、幾つかの特徴部分を破線で示す。
【００２４】
【図１４Ｂ】図１４Ｂは図１４Ａと類似しているが、取り付けアセンブリの取り外し位置を示す。
【００２５】
【図１５】図１５は、別の実施例に係る、スプリング部材を２つ別々に備える付勢装置を含む光モジュールを示す。
【００２６】
【図１６】図１６は、図１５に図示したスプリング部材のうちの一方を示す。
【００２７】
【図１７Ａ】図１７Ａは、図１５に示す付勢装置を利用した光モジュールの取り付け位置を示す部分側面図である。
【００２８】
【図１７Ｂ】図１７Ｂは、図１５に示す付勢装置を利用した光モジュールの取り外し位置を示す部分側面図である。
【発明を実施するための最良の形態】
【００２９】
ケースに対して選択的に取り付け／取り外しが行われる取り付け機構の例を説明する。以下で説明する例は、筐体に挿入される光モジュールに関連し、そのような光モジュールで使用されるとしてもよい。光モジュールの例としてＳＦＰ光トランシーバなどを挙げるが、本願の開示範囲は例示されたものに限定されない。また、本願の教示範囲は説明する実施例に限定されず、ほかの実施例も含むことは明らかである。
【００３０】
図１は、ホストボード１００２、光モジュール１００４および筐体１００６を備えるコンピュータボードアセンブリ１０００の組み立て前の状態を示す。アセンブリ１０００は、スイッチ、ルータ、サーバまたはパソコンといった、プロセッサによって構成されるシステムの一部としてもよい。このようなシステムデバイスの規格の例には、非同期転送モード（ＡＴＭ）、ＦＤＤＩ（Ｆｉｂｅｒ  ｄｉｓｔｒｉｂｕｔｅｄ  ｄａｔａ  ｉｎｔｅｒｆａｃｅ）、ファイバチャネル、ファストイーサネットやギガビットイーサネット、ＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）などがある。
【００３１】
ホストボード１００２は、マイクロプロセッサ（不図示）と接続されるとしてもよい。例えば、ホストボード１００２は、マザーボードの一部としてもよいし、マザーボードに接続された拡大用スロット（不図示）に挿入可能としてもよい。ホストボード１００２と光モジュール１００４を接続できるように、ホストボード１００２は、光モジュール１００４上の端部コネクタ１０１０に結合されるコネクタ１００８を備えるとしてもよい。図１には示していないが、光モジュール１００４は、端部コネクタ１０１０を含むプリント配線基板（ＰＣＢ）を内蔵するとしてもよい。光モジュール１００４が光トランシーバの場合、このＰＣＢは、端部コネクタ１０１０上のピンと通信を行う、マイクロプロセッサを含む制御回路を備えるとしてもよい。このような制御回路は、例えば光トランシーバ用の制御回路である。光モジュール１００４が別の光デバイスであれば、ＰＣＢも別の制御回路を備えるとしてもよい。光モジュール１００４は特定の光デバイスに限定されない。
【００３２】
筐体１００６は、接着剤、はんだ、ラッチ、止め具、圧入などの実装方法によってホストボード１００２に実装可能としてもよい。図示した例では、筐体１００６は複数のスロット１０１２を備える。このスロット１０１２の位置は、筐体１００６をホストボード１００２にねじ込み式で実装する時に利用される、ホストボード１００２に設けられた複数の穴部１０１４の位置と整合している。筐体１００６は、アルミニウム、スチールおよびステンレススチールなどの金属材料から形成され、ＳＦＰ／ＭＳＡ規格に準拠した寸法を持つとしてもよい。また、光モジュールは、壁１０１８、１０２０、１０２２および１０２４で囲まれた、筐体１００６のスロット１０１６に挿入可能であるとしてもよい。壁１０２４は、光モジュール１００４の格納式ラッチ１０２８を収納および固定する、ラッチ収納部１０２６を有する。格納式ラッチ１０２８は、筐体１００６に対する光モジュール１００４の選択的な取り付け／取り外しのために用いられる取り付け機構（図２に詳細を図示する）の一部である。図示した構成を持つ場合、光モジュール１００４は大きさの異なる筐体に対して、取り付け／取り外しが行えるとしてもよい。例えば、光モジュール１００４の上表面１０３０に対するラッチ１０２８の上方向への伸長部分によって、取り付け範囲を大きくするとしてもよい。ラッチ１０２８を大きくすることによって、ｙ軸に関して拡大された寸法を持つ筐体と係合するとしてもよい。
【００３３】
光モジュールは挿入可能であればどのようなモジュールでもよく、例えばＳＦＰ／ＭＳＡの条件を満たした光トランシーバであってもよい。光モジュール１００４は、端部コネクタ１０１０、メインハウジング１０３０および取り付け／取り外しアセンブリ（説明を簡単にするため取り付けアセンブリと呼ぶ）１０３２を含む。メインハウジング１０３０は、金属、ダイカスト材料あるいはプラスチックなどの材料で形成され、光モジュール１００４のＰＣＢを収納するとしてもよい。取り付けアセンブリ１０３２は、挿入可能なファイバコネクタ１０３８および１０４０を光モジュール１００４に接続する際に使用される、レセプタクル１０３４および１０３６を持つ。図示したレセプタクル１０３４および１０３６ならびにコネクタ１０３８および１０４０は例にすぎない。レセプタクル１０３４および１０３６は、上述したが、ＳＦＰ規格に準拠した光トランシーバ用の光ファイバコネクタを収納できるように形成するとしてもよい。２つのレセプタクル１０３４および１０３６を図示しているが、光モジュール１００４が有するレセプタクルの数はこれより増減させてもよい。
【００３４】
図２は、光モジュール１００４が有する取り付けアセンブリ１０３２の組み立て前の状態を示す。図２では、ハウジング１２０６に実装可能な取り付け／取り外し機構１２０２および回転可能なアクチュエータ１２０４を示す。取り付けアセンブリ１０３２はほかに、同じくハウジング１２０６に実装可能な付勢装置１２０８などを備える。機構１２０２は金属製で、例えばシートメタルから形成してもよいし、ダイカスト処理または金属注入成形処理で形成してもよい。付勢装置は、例えば取り付け機構を取り付け位置に付勢するとしてもよい。以下で詳しく説明するが、取り付け機構１２０２は、付勢装置１２０８を介してハウジング１２０６に接続される構成としてもよい。本明細書では、旋回可能な接合部を支持し、アクチュエータに対してスプリング力を印加する付勢装置の例を幾つか説明する。このため、付勢装置はスプリング装置でもあるとしてもよい。
【００３５】
アクチュエータ１２０４は、ハウジング１２０６上の受け入れスロット１２１２に回転可能な状態で挿入することができるコネクタ１２１０を備える。図示した例では、対向する２つの受け入れスロット１２１２が設けられている。受け入れスロット１２１２は通常図示した例のようにＣ字形をしており、コネクタ１２１０が軸方向以外に動かないよう抑止突起部１２１４（図５を参照のこと）で抑止している。受け入れスロット１２１２は、図示した例以外の形状を持つとしてもよい。例えば、アクチュエータのコネクタ１２１０がスプリングで付勢されたプッシュピン形状である場合、これを格納する受け入れスロットは環状としてもよい。
【００３６】
アクチュエータ１２０４は、コネクタ１２１０以外に、支持アーム１２１８および１２２０間に延びるハンドル１２１６を備える。ハンドル１２１６ならびに支持アーム１２１８および１２２０は同一の材料で形成するとしてもよい。材料の例としては、プラスチックが挙げられ、金型成形または押し出し成形で形成する。ほかの材料としては、例えば、シートメタルがある。コネクタ１２１０も同様の材料で形成するとしてもよい。また、以上の構成要素には被覆を行うとしてもよい。ハンドル１２１６の大きさは、例えば、指で簡単に光モジュール１００４が取り外せるように調整するとしてもよい。
【００３７】
以下で詳細に説明するが、実際に使用する場合、ハンドル１２１６は、受け入れスロット１２１２によって決められるある軸を中心に回転して、光モジュールを取り付け位置から取り外し位置へと動かす。図示した例によると、コネクタ１２１０は、取り付け位置にある場合に水平配向となるカム１２２２を備える。取り付け位置（例えば、図１および図６Ａ）から取り外し位置（図６Ｂ）へとアクチュエータ１２１６を回転させると、カム１２２２は取り付け機構１２０２のカム表面と係合して、ラッチ１０２８をある軸を中心に回転させる。このようにして、筐体１００６に対するラッチ１０２８の取り付け／取り外しが制御される。
【００３８】
筐体１００６、特にラッチ収納部１０２６に対して、光モジュール１００４の選択的な取り付け／取り外しを行うために、取り付け機構１２０２（図３を参照のこと）はスロット状接合部１３００を備えるとしてもよい。スロット状接合部１３００は、ハウジング１２０６（図２を参照のこと）上の旋回部１３０３に実装可能な、管状の壁１３０２によって形成されている。このスロット状接合部１３００の形状は、旋回部１３０３に対する両者の共通軸を中心とした回転運動を可能にするべく、旋回部１３０３の形状と補完的なものになっている。取り付け機構１２０２は、ラッチ１０２８がハウジング１２０６（図２を参照のこと）のラッチチェンバ１３０５に収まるように、ハウジング上に配置されるとしてもよい。
【００３９】
壁１３０２は第１通常Ｌ字型部材１３０４に接合されている。部材１３０４は、延長アーム１３０６によってラッチ１０２８と接合されている。壁１３０２はまた、第２通常Ｌ字型部材１３０８に接合され、続いてカムフォロワー１３１０と接合されている。カムフォロワー１３１０は、連結部１３１２と係合部１３１４から形成され、係合部１３１４は連結部１３１２との間の角度を決める。図示した例によると、カムフォロワー１３１０の形状および寸法、連結部１３１２と係合部１３１４の配向および両者間の角度は、カム力から回転力への変換（例えば、カム１２２２のカム力を接合部１３００に対する回転力に変換し、旋回部１３０３を中心として接合部１３００を回転させること）に影響をおよぼす可能性がある。
【００４０】
組み立ての例を示すと、普通は図示したように管状の旋回部１３０３（図４を参照のこと）に隣接するように、接合部１３００を配置する。旋回部１３０３は、２つのレセプタクル１０３４および１０３６の上方に配設された基部１４００の一端に配設される。レセプタクル１０３４および１０３６は各々、ファイバコネクタ用のフェルールに対するＯＳＡ接合部１４０２および１４０４を備えるとしてもよい。図示した接合部１４０２および１４０４は例にすぎない。
【００４１】
ハウジング１２０６はまた、付勢装置１２０８を固定するための、対向するノッチ１４０６（図示しているのは１つだけ）を有する。図示した例によると、ハウジング１２０６はさらに、取り付け位置において回転可能なアクチュエータ１２０４と横並びになる壁特徴部１４０８（配設は任意、図示しているのは１つだけ）を備える。壁特徴部１４０８は、取り付け位置でアクチュエータ１２０４を止める構造としてもよいし、アクチュエータ１２０４と横並びになるとしてもよい。
【００４２】
取り付け機構１２０２は、付勢装置１２０８によって、ハウジング１２０６に対して所定の位置に固定されるとしてもよい。付勢装置１２０８については、図５で詳細に説明されている。付勢装置１２０８は、一対の対向するフランジ１５００および１５０２を備える。フランジ１５００および１５０２はそれぞれ、ノッチ１４０６と係合し固定し合うノッチ用スロット１５０４および１５０６を持つ。この係合および固定は、例えば、スロット状接合部１３００と旋回部１３０３の位置合わせが行われた後で、実施される。図示した例によれば、付勢装置１２０８は、ラッチ１０２８が突き出た状態である取り付け位置に収まるよう、取り付け機構１２０２を付勢するための支持部材１５０８を持つ。支持部材１５０８は例えばリーフスプリングであるとしてもよい。図示した例によると、支持部材１５０８は支持部１５１０に対して所定の角度を持つように構成されており、この所定の角度を維持しようとする耐性によって取り付け位置への付勢を実現する。別の実施例によれば、支持部材１５０８と支持部１５１０は同一平面上にあるとしてもよい。別の実施例によれば、付勢装置１２０８は図８に示すような保持部材を含むとしてもよい。
【００４３】
支持部材１５０８は、接合部１３００と係合することによって取り付け機構を付勢するとしてもよい。実施例によっては、支持部材１５０８は、接合部１３００と旋回部１３０３の係合を確かなものとするために、接合部１３００の外表面に対して力を加えるとしてもよい。スナップフィット方式などを用いることによって、旋回部に自主的に係合する接合部１３００としてもよいが、この場合、支持部材１５０８は、接合部１３００と旋回部１３０３の結合が外れないようにさらに力を加えるとしてもよい。スプリング装置の構成については、ほかにもさまざまな例が考えられる。
【００４４】
図６Ａおよび図６Ｂは、筐体１００６に対する光モジュール１００４の選択的な取り付け／取り外しが行われる場合の回転可能ラッチ１２０４の動作の一例を示す。図６Ａでは、アクチュエータ１２０４が壁特徴部１４０８に隣接する状態でハウジング１２０６に対して閉じられている、取り付け位置を示す。ラッチ１０２８がラッチ収納部１０２６内に固定された状態で、光モジュール１００４が筐体１００６内に取り付けられている。図示した例によると、ラッチ１０２８は結合入口面１６００を有する。この面１６００は、モジュールが挿入されている間筐体の壁面に係合させることができるので、ラッチ１０２８が屈曲してチェンバ１３０５に収納されることができ、光モジュール１００４が問題なく筐体１００６に差し込まれる。モジュール挿入中は、ラッチ１０２８を筐体などと係合させることによって、チェンバ１３０５内にラッチ１０２８の一部分を引っ込めた状態としてもよい。ラッチ１０２８はさらに、ほぼ直角の面１６０２を備える。この面１６０２は、光モジュール１００４を取り付け位置から出そうと引っ張る力（図で言うと右方向）に対して抵抗する。ラッチ１０２８の形状や構成は上記以外であってもよい。入口面および出口面が曲線状または直線状である構成でもよいし、ラッチ用開口部１０２６の端部を中心として回転可能なＣ字型のハンドルであってもよい。
【００４５】
光モジュール１００４はさらに、頂点１６１０で合う第１斜面１６０６および第２斜面１６０８から形成される保持スプリング１６０４を備える。スプリング１６０４は壁１０１８の下側表面と係合するように屈曲することができる。スプリング１６０４は、筐体１００６に対し外向きの力をかけるとしてもよい。これに対して筐体１００６は逆に、対向する内向きの力を印加する。この力は光モジュール１００４を通過し、ラッチ１０２８がラッチ収納部１０２６から最大限突き出るようにする。
【００４６】
図６Ｂでは、（例えば、操作者の指によって）力が印加されアクチュエータ１２０４を回転させ、ほぼ９０度引っ張り出している。この角度は例として挙げたにすぎず、取り外すためにアクチュエータを曲げる角度は、９０度以外であってもよい。アクチュエータ１２０４が回転すると、図示した例では、カム１２２２が水平位置（図６Ａ参照）から垂直位置（図６Ｂ）へと回転する。取り付け／取り外し位置での配向については、これ以外であってもよい。さらに、屈曲を大きくするためにカム１２２２の寸法を変えてもよい。また、カムとカムフォロワーの係合面積を大きくするために、コネクタ１２１０の長手方向に沿ってカム１２２２を長くするとしてもよい。
【００４７】
図示した例によると、カム１２２２は取り付け機構１２０２のカムフォロワー１３１０の少なくとも一部を屈曲する。すると、接合部１３００が旋回部１３０３を中心に（例えば、接合部１３００と旋回部１３０３の共通軸を中心に）回転する。この回転により、ラッチ１０２８がハウジング１２０６内、例えばラッチチェンバ１３０５内に引っ張り出される。この結果、光モジュール１００４が取り外し位置に収まり、筐体１００６から取り外し可能になるとしてもよい。ラッチ１０２８は完全に引き出された状態で、筐体から光モジュールを自由に動かせるとしてもよい。
【００４８】
取り付け／取り外し動作中の接合部１３００と旋回部１３０３は、摩擦力および／または接合部１３００に対して付勢装置１２０８が印加する付勢力によって、互いに接触したままとなる。図示した例によると、この付勢力は、付勢装置１２０８の支持部１５１０との係合によって生じる。または、支持部材１５０８との係合によって発生するとしてもよい。図示された例では、カムフォロワー１３１０と係合している支持部材１５０８は、支持部材１５０８のスプリング力よりも強い、カム１２２２のカム力によって屈曲するとしてもよい。支持部材１５０８は、金属のように弾力性のある材料から形成してもよく、カム１２２２のカム力に対向するスプリング力を生成するとしてもよい。具体的には、アクチュエータ１２０４を回転させて取り付け位置に戻すと、支持部材１５０８のスプリング力によってカムフォロワー１３１０は付勢され、図６Ａに示す位置に戻る。この結果、旋回部１３０３を中心として接合部１３００が（逆時計回りに）回転し、ラッチ１０２８はチェンバ１３０５を出て、ラッチ収納部１０２６に対して固定（取り付け）位置に落ち着く。カムフォロワー１３１４は、ラッチ１０２８を付勢して取り付け位置（図６Ａを参照のこと）に戻せるよう、弾性力のある材料で形成するか、弾性力を持つ構成（例えば、支持部と接続部材の間をスプリング接続とする）としてもよい。付勢装置１２０８が旋回部１３０３に対して接合部１３００を付勢することによって、取り付け／取り外し動作中でも、接合部１３００と旋回部１３０３間の接触を維持できるようにするとしてもよい。
【００４９】
上述した例以外に多くの実施例が考えられる。図７に、上述した装置１０３２と同様の特徴を持つ光モジュールサブアセンブリ１８００の一例を示す。説明では、上記と同じ参照番号を使用する。
【００５０】
アセンブリ１８００は取り付けアセンブリ１０３２と類似している。アクチュエータ１２０４に類似する回転可能なアクチュエータ１８０２は、回転可能なコネクタ１８０４を備える。コネクタ１８０４は、ハウジング１２０６の受け入れスロット１２１２に係合または接続されるとしてもよい。取り付け機構１２０２は、上記と同じくハウジング１２０６に実装することができる。図示した実施例によると、アセンブリ１８００とアセンブリ１０３２の相違点は、付勢装置１２０８の代わりに、２つの別々の装置から構成される付勢装置を使用することである。このような付勢装置は、別々にハウジングに実装され、別々に動く支持装置１８０６とスプリング装置１８１０を備えるとしてもよい。ここで、支持装置１８０６はスプリング力を印加するとしてもよい。
【００５１】
図８の拡大図で示すように、装置１８０６は、互いに対向する２つのフランジ１８１２および１８１４を備える。フランジ１８１２および１８１４はそれぞれ、ノッチ１８１６および１８１８を有する。図示した例によると、支持部１８２０がフランジ１８１２および１８１４間に設けられ、保持部材１８２２および１８２４が支持部１８２０に設けられている。保持部材１８２２および１８２４は、スプリング装置１８０６が外れないようにハウジング１２０６内の受け入れスロット（不図示）のうち対応するものと結合されるとしてもよい。
【００５２】
支持装置１８０６は、支持部材１５０８よりも短く、支持部１８２０から延伸する支持部材１８２６を備える。支持部材１８２６の長さは接合部１３００と係合するためには十分である。支持部材１８２６と接合部１３００の係合によって、接合部１３００は、旋回部１３０３に結合、または旋回部１３０３に対して付勢される。一方、支持部材１８２６の延伸方向の長さは、図示した例によると、カムフォロワー１３１０に対する係合および付勢には十分でない。
【００５３】
一方、スプリング装置１８１０（図９を参照のこと）は、取り付け機構１２０２を取り付け位置に付勢する。スプリング装置１８１０は、カンチレバー構成で、リーフスプリングである支持部材２０００を備える。支持部材２０００は、２つのＣ字型実装アーム２００２および２００４から延伸している。実装アーム２００２および２００４は、つまむことのできる留め金２００６および２００８を持つ。留め金２００６および２００８は、図１０に示す、ハウジング１２０６内に設けられたスロット２０１０および２０１２に固定されるように、スロット２０１０および２０１２内へと導入されるとしてもよい。スロット２０１０および２０１２は、旋回部１３０３の底部と基部１４００の間に設けられているとしてもよい。留め金２００６および２００８は、保持用小突起部２０１４および２０１６を有し、ハウジング１２０６からスプリング装置１８１０が外れないようにするとしてもよい。実施例によっては、スプリング装置１８１０が開口部２０１８を持ち、ハウジングに支持装置１８０６を実装した時に支持部材１８２６を開口部２０１８内に収納するとしてもよい。
【００５４】
図１１Ａおよび図１１Ｂはそれぞれ、取り付け位置および取り外し位置にある光モジュール１８００を示す。光モジュール１８００についての取り付け／取り外し動作は、図６Ａおよび図６Ｂを参照して説明した動作と同様であるので、以下ではすべての手順を繰り返し説明することはしない。図１１Ａおよび図１１Ｂによると、支持部材１８２６と接合部１３００が係合される。また、リーフスプリング２０００と連結部分１３１２が係合され、少なくとも図１１Ｂに示した取り外し位置において、カムフォロワー１３１４が上向きに付勢されている。例えば、取り付け位置にある時も、リーフスプリング２０００は連結部分１３１２を付勢してコネクタ１２１０および／またはカム１２２２と係合させるとしてもよい。
【００５５】
図１１Ｂに示すように、アクチュエータ１２０４を回転させると、カム１２２２とカムフォロワー１３１０が係合され、部材１３１４を屈曲する。すると、リーフスプリング２０００も屈曲され、接合部１３００が旋回部１３０３を中心に回転する。この結果、ラッチ１０２８が上昇して、取り付け位置に収まる。この取り付け位置において、リーフスプリング２０００と取り付け機構１２０２は係合されたままとなっている。接合部１３００は支持部材１８２６によって支持され、接合部１３００と旋回部１３０３の係合が維持される。支持部材１８２６による支持はリーフスプリング２０００の付勢力とは無関係で、リーフスプリングは別に、スロット２０１０および２０１２を介して、ハウジング１２０６によって支持されている。
【００５６】
このほかの実施例として、図１２および図１３に、図２に示す付勢装置１２０８および図７に示す２部構成の付勢装置（装置１８０６およびスプリング１８１０）の代わりとなるスプリングを示す。付勢装置２１００（図１２を参照のこと）は、接合部と旋回部を係合させる支持部材２１０４および、例えばカムフォロワーと係合することによって、取り付け機構を取り付け位置へと付勢する支持部材２１０６を持つ、カンチレバーアーム２１０２を備える。上述の例と同様に、付勢装置２１００はさらに、ハウジングに実装される時に使用する、対向するフランジ２１０８および２１１０を備える。
【００５７】
付勢装置２１００は支持部材を２つ持つ。使用時これらの支持部材は、互いに相対的に動くことが可能であり、そのため別々の付勢力またはスプリング力を生成することも可能である。支持部材２１０６は支持部材２１０４に対して相対的に動かすことができるので、支持部材２１０４の接合部１３００に対する支持力に影響をおよぼすことなく、カムフォロワー１３１４が印加する力によって支持部材２１０６が屈曲されるとしてもよい。支持部材２１０６の構成および構成材料については、支持部材２１０６が対向するスプリング力を生じるようなものを選ぶとしてもよい。図示した例によると、支持部材２１０６は、Ｃ字型の屈曲ギャップ２１１２によって支持部材２１０４から分離されている。図示したギャップ２１１２の形状は例にすぎず、ほかの形状としてもよい。図示した例によると、支持部材２１０４と支持部材２１０６が互いに相対的に動くことができるように、支持部材２１０４はギャップ２１１２によって支持部材２１０６から分離されている。付勢装置２１００内で支持部材２１０４および２１０６がどの程度相対的に動くことができるかは、各支持部材の反発力の大きさと共に、構成材料および／または構成を変えることで調整するとしてもよい。
【００５８】
図１３は、別の構成を持つ付勢装置の一例を示す。付勢装置２２００は、付勢装置２１００と類似した構成となっているが、すそ端部２２０８を持つ屈曲ギャップ２２０６によって分離された支持部材２２０２および２２０４を備える点において異なるとしてもよい。すそ端部２２０８を設けてあるので、支持部材２２０４は、例えばカムフォロワーによって印加される力によって、大きく屈曲するとしてもよい。こうすることによって、取り付け位置から取り外し位置へとアクチュエータを動かす時にアクチュエータにかかる力が少なくてすむとしてもよい。さらに、このような構造により、取り付け状態と取り外し状態が繰り返し切り替えられる場合に支持部材２２０２にかかる負担を減らすとしてもよい。図１４Ａおよび図１４Ｂは、付勢装置２２００を有する光モジュールの取り付け位置および取り外し位置を示す部分図である。付勢装置２１００を有するモジュールの取り付け位置および取り外し位置も同様の図で示されるものと考えられる。
【００５９】
実施例によっては、付勢装置は接合部の外表面と接して、ほぼ固定された旋回部と取り付け機構が係合するよう、取り付け機構を付勢する。また、取り付け機構を付勢して旋回部と係合させる場合、付勢装置と接合部の外表面は接しない実施例もあるとしてもよい。図１５に一例として光モジュール２３００を示す。光モジュール２３００の構成要素のうち幾つかは図１に示す光モジュール１００４と類似しており、そのため同一の参照番号を用いている。取り付け機構１２０２ならびに、上述のアクチュエータ１２０４および１８０２に類似した回転可能なアクチュエータ２３０２は、上記実施例と同様にハウジング１２０６にはめ込まれるとしてもよい。しかし光モジュール１００４と違うのは、モジュール２３００では付勢装置１２０８に類似した第１付勢装置２３０４を備える点である。この第１付勢装置２３０４は、スロット状接合部１３００と旋回部１３０３を接触および係合させるための支持部は有していない。第１付勢装置２３０４は、カムフォロワー１３１０に対してスプリング付勢力を印加するリーフスプリング２３０６を備える。図１７Ａおよび図１７Ｂに示すように、接合部の外表面とリーフスプリング２３０６は係合せず、両者間には間隙があるとしてもよい。なお、装置２３０４は、ノッチによってハウジング１２０６に実装するとしてもよい。
【００６０】
もう１つの付勢装置２３０８を、第１付勢装置２３０４とは別にハウジング１２０６に実装するとしてもよい。組み立ての一例によると、アクチュエータ２３０２を回転させている間、付勢装置２３０８はスロット状接合部１３００を管状の旋回部１３０３に対して付勢し、両者を接触させる。付勢装置２３０８はまた、カムフォロワー１３１０を付勢するスプリング力を印加するとしてもよい。このため、図示した例においては、取り付けアセンブリ２３１０を付勢して図１６Ａに示す取り付け位置へと動かすスプリング力が２つあるとしてもよい。なお、付勢装置２３０４および２３０８は互いに相対的に動かすことができるとしてもよい。
【００６１】
図１６に付勢装置２３０８の一実施例を示す。付勢装置２３０８は、スロット２０１０および２０１２（図１０を参照のこと）の（図示されていない）反対側の端部に実装される実装部２３１２および２３１４を備える。実装部分２３１２および２３１４は受け入れスロット２３１６によって互いに分離されており、受け入れスロット２３１６内にスロット状接合部１３００を位置させるとしてもよい。また、スプリング部材２３１８が上昇部分２３２０および２３２２から延伸している。
【００６２】
図１７Ａおよび図１７Ｂは、モジュール２３００について２つの動作位置を示す部分図である。図１７Ａは取り付け位置にあるモジュール２３００を示す。カム２３２４は水平状態、付勢装置２３０４および２３０８は屈曲されていない状態にある。図１７Ｂは取り外し位置にあるモジュール２３００を示す。取り外し位置は、付勢装置２３０４および２３０８のスプリング付勢力より大きい、両装置を屈曲させるほどのカム力を生じさせるのに十分なだけ、カム２３２４を回転させた場合に実現する。図示した例によると、カムフォロワー１３１０はカム１２２２と係合するように配置され、付勢装置２３０８は、モジュールの使用中はスロット状接合部１３００を付勢して旋回部１３０３と接触させるために、カムフォロワー１３１０とリーフスプリング２３０６の間に配置されている。このような構成によって、接合部と旋回部の間で生じている付勢は、取り付け機構のうち接合部以外の部分、例えばカムフォロワーに相当する部分に対して付勢力を印加することによって実現するとしてもよい。
【００６３】
本明細書で開示した光モジュールには多くの応用例があるとしてもよい。例としては、ファイバチャネル方式の記憶システムで用いられる光トランシーバが挙げられる。そのような光トランシーバは、例えば、ファイバチャネル方式で４ギガビット毎秒を達成し、記憶領域デバイス／アプリケーションについては２ギガビット毎秒を達成するとしてもよい。また光トランシーバは一般的に、組み込み型ストレージスイッチに用いられるとしてもよい。例えば、光トランシーバは、高速光通信を実現するホストバスアダプタ（ＨＢＡ）、スイッチおよびＲＡＩＤモジュールで使用するとしてもよい。このようなモジュールは、製造工程中や使用中において、ＭＳＡ筐体やほかの筐体に対するインストールが柔軟に行えるホットプラグ機能を持つとしてもよい。光トランシーバは例えば、８５０ｎｍのマルチモード光ファイバトランシーバとしてもよい。これ以外の赤外線領域や近赤外線領域の通信波長を代わりに使用するとしてもよい。上述した使用環境は例にすぎず、本発明に係る光モジュールは、取り付け／取り外し状態を含むシステムであればどんなものにでも利用可能である。ほかの使用環境には、上述したが、ファストイーサネットやギガビットイーサネットなどが例として挙げられる。
【００６４】
本明細書では本発明の教示に基づいて構成された装置について説明したが、本願の範囲は説明内容に限定されるものではない。本願の範囲には、文字通りまたは均等論に従って解釈される請求項の開示範囲にある限り、本発明の教示に基づく実施形態はすべて含まれる。
【図１】
2007522530.tif 000003
【図２】
2007522530.tif 000004
【図３】
2007522530.tif 000005
【図４】
2007522530.tif 000006
【図５】
2007522530.tif 000007
【図６Ａ】
2007522530.tif 000008
【図６Ｂ】
2007522530.tif 000009
【図７】
2007522530.tif 000010
【図８】
2007522530.tif 000011
【図９】
2007522530.tif 000012
【図１０】
2007522530.tif 000013
【図１１Ａ】
2007522530.tif 000014
【図１１Ｂ】
2007522530.tif 000015
【図１２】
2007522530.tif 000016
【図１３】
2007522530.tif 000017
【図１４Ａ】
2007522530.tif 000018
【図１４Ｂ】
2007522530.tif 000019
【図１５】
2007522530.tif 000020
【図１６】
2007522530.tif 000021
【図１７Ａ】
2007522530.tif 000022
【図１７Ｂ】
2007522530.tif 000023
【国際調査報告】
2007522530.tif 000024
2007522530.tif 000025